(57)【要約】 【課題】  光ケーブル回線の配線工事において個別対応の必要性がなく、ユーザー宅内の各加入者の端末への光ケーブル回線の接続、廃棄などの変更が生じても追加工事が不要な宅内分配装置およびその装置に用いられる低域通過フィルタを提供すること。【解決手段】  電話局１１の中継装置１２には電話線１３と光ケーブル１４が接続され、ユーザー宅である集合住宅１０では、複合信号端子４３，４４，４５とを持ち特定周波数以下の信号を通過させる低域通過フィルタ１と、光ケーブルの光終端装置１９と接続し端末入出力端子３３，３４，３５とを持ち前記特定周波数以上の信号を通過させる高域通過フィルタを有する変復調装置２８とからなる本発明による宅内分配装置２によって各家庭の端末１５，１６，１７に回線が分配される。【選択図】  図１
2007221531.tif 000002
【特許請求の範囲】
【請求項１】
通信基地局或いは通信中継局とユーザー宅との間に敷設された音声信号とデジタルデータを伝送する電話用銅線ケーブルとデジタルデータを伝送する光ケーブルとを用いて、前記通信基地局或いは通信中継局と前記ユーザー宅に接続された複数の端末との間で音声およびデジタルデータを通信するために前記ユーザー宅に設置される宅内分配装置において、前記電話用銅線ケーブルと接続される１つの接続端子と前記複数の端末と接続される複数の端子とを持ち特定周波数以下の信号を通過させる低域通過フィルタと、前記光ケーブルの光終端装置と接続する１つの接続端子と前記低域通過フィルタと前記複数の端末との間を接続する回線に接続される複数の端子とを持ち前記特定周波数以上の信号を通過させる高域通過フィルタを有する変復調装置とからなる宅内分配装置。
【請求項２】
前記低域通過フィルタは搬送波周波数１．１ＭＨｚのＡＤＳＬ信号を通過させそれを越える高い周波数の信号は遮断するものであることを特徴とする請求項１記載の宅内分配装置。
【請求項３】
前記変復調装置は開放された端子を有し、前記低域通過フィルタは前記変復調装置の開放された端子に接続できる終端部を有することを特徴とする請求項１または２記載の宅内分配装置。
【請求項４】
請求項３記載の宅内分配装置に用いる、終端部および該終端部の接続端子を有する低域通過フィルタ。
【発明の詳細な説明】
【技術分野】
【０００１】
本発明は、電話用銅線ケーブルと光ケーブルを使用してユーザー宅内に設置される複数の端末との間で電話音声およびｘＤＳＬ（x Digital Subscriber Line）方式のデジタルデータの通信を行うためにユーザー宅内に設置される宅内分配装置およびそれに使用される低域通過フィルタに関するものである。
【背景技術】
【０００２】
近年、インターネット通信網の普及は目覚しく、送受信できるデジタルデータの量と、デジタルデータの伝送速度の高速化がｘＤＳＬによって図られている。ｘＤＳＬのうち、伝送速度が２５ｋＨｚ〜３．７５ＭＨｚのＡＤＳＬ（Asymmetric Digital Subscriber Line）と伝送速度が６４０ｋＨｚ〜３０ＭＨｚのＶＤＳＬ（Very high-bit-rate Digital Subscriber Line）が一般的に使用されており、その普及が顕著である。
【０００３】
このｘＤＳＬを利用したインターネット通信システムにおいては、例えば特許文献１に示されているように、従来の電話用銅線ケーブル（電話線）だけでは伝送速度が制限されるため電話線に加えて光ケーブルを敷設、接続して使用する場合が急速に増加している。そのためマンションやアパートなどの集合住宅、およびテナントビルなどの複数の加入者端末を有するユーザー宅内には宅内分配装置が設置されて回線が各端末に分配されている。
【０００４】
図３は、このような電話線と光ケーブルが併用された場合の従来の宅内分配装置を使用して回線を分配する通信システムの一例を示すブロック構成図である。
【０００５】
図３に示すように、電話局１１の中継装置１２には電話網の電話線１３とインターネット回線の光ケーブル１４が接続され、電話線１３によって電話音声信号とｘＤＳＬ信号が、光ケーブル１４によってｘＤＳＬ信号が送受信される。ユーザー宅である集合住宅１０では各家庭の端末１５、１６、１７に回線を分配するために宅内分配装置として変復調装置の一種であるＶＤＳＬ装置１８が設置される。図３においては、各家庭の選択により端末１５は従来の電話線のみを使用し、端末１６，１７は光ケーブルを使用する場合を示している。
【０００６】
図３においては、中継装置１２から電話線１３により音声信号とＡＤＳＬ信号が伝送され、ユーザー宅内でこれが分岐されて一方はＶＤＳＬ装置１８のＰＯＴＳ（Plan Old Telephone Service）端子２１に入力され、一方は配線２６により直接端末１５に入力される。一方、光ケーブル１４によりＶＤＳＬ信号などのデータが伝送され光終端装置１９により電気信号に変換されてＶＤＳＬ装置１８のデータ入出力端子２２に入力される。これらはＶＤＳＬ装置１８内で復調分離され、ＰＯＴＳ端子２１から入力された音声信号と合成され端末入出力端子２４，２５からそれぞれ各家庭の端末１６、１７に配線された回線により送信される。端末１５からの中継装置１２への戻り信号も同様に電話線１３により伝送され、端末１６、１７からの戻り信号は逆にＶＤＳＬ装置１８内で音声信号とデータ信号が分離され、音声信号はＰＯＴＳ端子２１から電話線で伝送され、データ信号は変調多重化されてデータ入出力端子２２から光終端装置１９に送られて光信号に変換されて送出される。
【０００７】
図４は、上記のＶＤＳＬ装置１８の一例を示すブロック構成図である。ＰＯＴＳ端子２１から入力された音声信号、ｘＤＳＬ信号は分岐されそれぞれ音声信号のみ通過させる低域通過フィルタ（ＬＰＦ）を通過して端末入出力端子２３、２４、２５へ出力される。一方、データ入出力端子２２から入力されたｘＤＳＬ信号はモデム２６により分離、復調され各端末の信号ごとにＡＤＳＬやＶＤＳＬのｘＤＳＬ信号のみを通過させる高域通過フィルタ（ＨＰＦ）を通過し、音声信号と合流して端末入出力端子２３、２４、２５へ出力される。各端末から送信される信号は逆にＶＤＳＬ装置１８に入力後、最初にＬＰＦとＨＰＦにより音声信号とｘＤＳＬ信号に分離されて処理される。
【０００８】
【特許文献１】特開２００４−８８７２７号公報
【発明の開示】
【発明が解決しようとする課題】
【０００９】
しかし、上記の従来の宅内分配装置では、各端末の回線を設定するときには光ケーブルの接続はユーザー宅内の各加入者の要求に対応して行う必要があるため、図３に示すように加入者端末に応じて配線が異なってしまう。そこで、加入者の要求が不明な初期段階で配線工事を行うことができない。さらに、後に光ケーブルと接続されていない加入者端末を光ケーブルと接続する要求が発生したときには、配線の切り替え工事が必要となる。例えば図３において、端末１５を光ケーブルの回線と接続する場合には、配線２６を切断しＶＤＳＬ装置１８の端末入出力端子２３と端末１５を接続する工事が必要となる。
【００１０】
このような配線工事の個別対応の必要性および追加工事は各加入者にとって光ケーブル回線の導入費用の増加を招き、光ケーブルによるサービス普及の妨げの一因となっている。
【００１１】
そこで、本発明の課題は、光ケーブル回線の配線工事において個別対応の必要性がなく、ユーザー宅内の各加入者の端末への光ケーブル回線の接続、廃棄などの変更が生じても追加工事が不要な宅内分配装置およびその装置に用いられる低域通過フィルタを提供することにある。
【課題を解決するための手段】
【００１２】
上記課題を解決するため、本発明の宅内分配装置は、通信基地局或いは通信中継局とユーザー宅との間に敷設された音声信号とデジタルデータを伝送する電話用銅線ケーブルとデジタルデータを伝送する光ケーブルとを用いて、前記通信基地局或いは通信中継局と前記ユーザー宅に接続された複数の端末との間で音声およびデジタルデータを通信するために前記ユーザー宅に設置される宅内分配装置において、前記電話用銅線ケーブルと接続される１つの接続端子と前記複数の端末と接続される複数の端子とを持ち特定周波数以下の信号を通過させる低域通過フィルタと、前記光ケーブルの光終端装置と接続する１つの接続端子と前記低域通過フィルタと前記複数の端末との間を接続する回線から分岐して接続される複数の端子とを持ち前記特定周波数以上の信号を通過させる高域通過フィルタを有する変復調装置とからなる。
【００１３】
前記低域通過フィルタは、搬送波周波数１．１ＭＨｚのＡＤＳＬ信号を通過させ、それ以上高い周波数の信号は遮断する宅内分配装置である。
【００１４】
また、前記変復調装置は開放された端子を有し、前記低域通過フィルタは前記変復調装置の開放された端子に接続される終端部を有していてもよい。
【００１５】
また、本発明による宅内分配装置に用いる低域通過フィルタは終端部およびその接続端子を有している。
【発明の効果】
【００１６】
上記の構成により、本発明の宅内分配装置は光ケーブル回線の配線工事において個別対応の必要性がなく、ユーザー宅内の各加入者の端末への光ケーブル回線の接続、廃棄などの変更が生じても追加工事が不要な宅内分配装置およびその装置に用いられる低域通過フィルタが得られる。
【００１７】
さらに本発明では、従来の宅内分配装置に使用される機器をそのまま使用することができ、装置コストの増加も少ない宅内分配装置が得られる。
【発明を実施するための最良の形態】
【００１８】
以下、図面を参照して本発明の実施の形態を説明する。
【００１９】
図１は、本発明による宅内分配装置の一実施の形態を説明するための図であり、本発明による宅内分配装置を使用して回線を分配する通信システムの一例を示すブロック構成図である。図３と同様に、電話局１１の中継装置１２には電話網の電話線１３とインターネット回線の光ケーブル１４が接続され、電話線１３によって電話音声信号とｘＤＳＬ信号が、光ケーブルによってｘＤＳＬ信号が送受信される。ユーザー宅である集合住宅１０では各家庭の端末１５、１６、１７に回線を分配するために本発明による宅内分配装置２が設置されている。
【００２０】
宅内分配装置２（破線内）は電話線１３と接続されるＰＯＴＳ端子４と各端末１５、１６、１７とそれぞれ接続される複合信号端子４３、４４、４５とを持ち特定周波数以下の信号を通過させる低域通過フィルタ１と、光ケーブルの光終端装置１９と接続するデータ入出力端子３２と低域通過フィルタ１と各端末との間を接続する回線から分岐して接続される端末入出力端子３３、３４、３５とを持ち前記特定周波数以上の信号を通過させる高域通過フィルタを有する変復調装置２８とからなっている。
【００２１】
ここで、本実施の形態の宅内分配装置２において、そこに使用する低域通過フィルタ１の回路構成の一例を図２に示す。この回路は図２（ａ）に示すフィルタ回路と図２（ｂ）に示す終端回路からなっており、フィルタ回路はコイルのインダクタンス（Ｌ）とコンデンサの容量（Ｃ）から構成される標準的なフィルタ回路である。終端回路は後で述べる終端すべき回路のインピーダンスに整合する抵抗Ｒxxと直流カット用のコンデンサからなっている。
【００２２】
本実施の形態においては、上記フィルタ回路の定数は１．１ＭＨｚのＡＤＳＬ信号を通過させそれを越える高い周波数の信号は遮断するように設定されている。これにより、電話線１３より入力し低域通過フィルタ１を通過して端末と通信される信号は音声信号と１．１ＭＨｚ以下のＡＤＳＬ信号となる。
【００２３】
一方、変復調装置２８には光ケーブルからｘＤＳＬ信号が入力し、１．１ＭＨｚのＡＤＳＬ信号以下の信号を遮断するような高域通過フィルタが内蔵されている。これにより１．１ＭＨｚより高周波のＡＤＳＬ信号とＶＤＳＬ信号が変復調装置２８を介して各端末と中継局１１の間で光ケーブルにより通信される。
【００２４】
一般的に、加入者が光ケーブルを導入する目的は高速のデータ通信であり、通常そのメリットが生ずるのは１．１ＭＨｚより高速のＡＤＳＬ信号やＶＤＳＬ信号などの通信である場合が多い。そこで本発明では低域通過フィルタ１を設置して上記遮断周波数を電話線での通信と光ケーブルでの通信を分離する周波数として設定し、その低域通過フィルタ１により電話線での通信を行う端末と光ケーブルを使用して通信を行う端末の宅内配線を共通化している。
【００２５】
すなわち、本発明では、光ケーブル回線の配線工事において個別対応の必要性がなく、ユーザー宅内の各加入者の端末への光ケーブル回線の接続、廃棄などの変更が生じても追加工事が不要となる。
【００２６】
また、本発明では、変復調装置２８として従来のＶＤＳＬ装置１８を用いることができる。この場合は、図４において、データ入出力端子２２は３２に対応し、端末入出力端子２３、２４、２５はそれぞれ３３、３４、３５となる。またＰＯＴＳ端子２１およびＬＰＦは使用されない。ＨＰＦの遮断周波数は１．１ＭＨｚのＡＤＳＬ信号以下の信号を遮断するように設定される。
【００２７】
このように量産化によるコストメリットがあり、市場での実績もある従来のＶＤＳＬ装置１８を使用することにより装置コストの増加も少ない宅内分配装置が得られる。
【００２８】
但し、このようにＶＤＳＬ装置１８を使用する場合、上記のように各端末入出力端子２３、２４、２５にＬＰＦと開放されたＰＯＴＳ端子２１が接続されたままとなっている。そこで回路的に障害が生ずるのを防止するためＰＯＴＳ端子２１を終端することが望ましい。そこで本実施例の低域通過フィルタ１では図２（ｂ）に示すように終端回路が内蔵され、その終端端子４６とＶＤＳＬ装置１８のＰＯＴＳ端子２１を配線接続することにより上記障害を除くことができる。
【００２９】
なお、上記実施の形態では、電話線と光ケーブルの信号の分離周波数として１．１ＭＨｚのＡＤＳＬ信号を基準として用いたが、ユーザーの状況や中継装置との距離などに応じて、より高い周波数やまたはより低い周波数を基準とすることも可能である。
【００３０】
また、本発明に用いる低域通過フィルタや変復調装置の構成なども上記実施の形態に限定されるものではないことは言うまでもない。
【図面の簡単な説明】
【００３１】
【図１】本発明による宅内分配装置の一実施の形態を説明するための図であり、本発明による宅内分配装置を使用して回線を分配する通信システムの一例を示すブロック構成図。
【図２】本発明による宅内分配装置に使用する低域通過フィルタの回路構成の一例を示す図。図２（ａ）はフィルタ回路、図２（ｂ）は終端回路。
【図３】電話線と光ケーブルが併用された場合の従来の宅内分配装置を使用して回線を分配する通信システムの一例を示すブロック構成図。
【図４】従来のＶＤＳＬ装置の一例を示すブロック構成図。
【符号の説明】
【００３２】
１    低域通過フィルタ
２    宅内分配装置
３    終端部
４，２１，３１    ＰＯＴＳ端子
１０    集合住宅
１１    電話局
１２    中継装置
１３    電話線
１４    光ケーブル
１５，１６，１７    端末
１８    ＶＤＳＬ装置
２８    変復調装置
１９    光終端装置
２２，３２    データ入出力端子
２３，２４，２５，３３，３４，３５    端末入出力端子
２６    モデム
４３，４４，４５    複合信号端子
４６    終端端子
【図１】
2007221531.tif 000003
【図２】
2007221531.tif 000004
【図３】
2007221531.tif 000005
【図４】
2007221531.tif 000006